(57)【要約】【課題】既存の照明器具が設置された室内に広く使用することができるとともに、室内の照明範囲を調整することが可能なＬＥＤランプを提供する。【解決手段】ＬＥＤランプ１は、白熱電球のソケットに螺合される口金を備えた本体部３と、本体部３の周囲に配置され、透光性を有する環状のガラス管５と、ガラス管５を保持する保持具７とを備えている。ガラス管５内には、周全体に亘って導電性の基板１３が設けられて、基板１３はガラス管５の周方向に複数のブロック１５，１７，１９，２１に分割される。ブロック１５，１７，１９，２１には、口金からの給電が可能であり、複数のＬＥＤ２７と、口金からの給電によりＬＥＤ２７を点灯させる駆動回路とが設けられている。本体部３には口金からブロック１５，１７，１９，２１への給電を制御するスイッチ３５が設けられている。【選択図】図２
2010262856.tif 000002
【特許請求の範囲】
【請求項１】
白熱電球のソケットに接続される口金を備えた本体部と、
前記本体部の周囲に配置され、透光性部材から構成される環状の管と、
前記本体部から前記環状の管に向けて延びて、前記環状の管を保持する保持具とを備え、
前記環状の管の内部には、その周全体に亘って導電性の基板が設けられて、当該基板は、前記環状の管の周方向に複数のブロックに分割され、
各前記ブロックには、前記保持部を通じて前記口金からの給電が可能であるとともに、複数のＬＥＤと、前記口金からの給電を受けて前記複数のＬＥＤを点灯させる駆動回路とが一体に設けられ、
前記本体部には、前記口金からの各前記ブロックに対する給電を制御する制御手段が設けられることを特徴とするＬＥＤランプ。
【請求項２】
前記制御手段は、ユーザの操作に応じて前記口金と各前記ブロックとの電気的な接続を制御するスイッチから構成されることを特徴とする請求項１に記載のＬＥＤランプ。
【請求項３】
前記スイッチは、光信号を受信する受光部を備えることで、ユーザによる遠隔操作が可能であることを特徴とする請求項２に記載のＬＥＤランプ。
【請求項４】
前記制御手段は、前記室内の明るさを計測するセンサと、当該センサの計測値に基づき各前記ブロック及び前記口金の電気的な接続を制御する制御回路とから構成されることを特徴とする請求項１に記載のＬＥＤランプ。
【請求項５】
前記環状の管は、複数設けられて、前記本体部を中心として同心配置されることを特徴とする請求項１乃至４のいずれか１項に記載のＬＥＤランプ。
【請求項６】
前記環状の管には、各前記ブロックの角度を調整する調整機構が設けられることを特徴とする請求項１乃至５のいずれか１項に記載のＬＥＤランプ。
【請求項７】
各前記ブロックには、それぞれ異なる発光色のＬＥＤが設けられることを特徴とする請求項１乃至６のいずれか１項に記載のＬＥＤランプ。
【発明の詳細な説明】
【技術分野】
【０００１】
本発明は、発光ダイオード（以下、ＬＥＤ）を光源とするＬＥＤランプに関する。
【背景技術】
【０００２】
近年、ＬＥＤを光源とするＬＥＤランプが様々な用途に使用されているが、一般に普及するＬＥＤランプは点光源であり、面的な発光を行う従来の蛍光ランプに比して発光面積が小さい。このため、一般のＬＥＤランプは、照明範囲が狭く、室内用の照明としては不向きである。
【０００３】
そこで従来の蛍光ランプと同程度の照射範囲を有するＬＥＤランプを開発する試みが行われている。例えば、特許文献１には、従来の直管形の蛍光ランプが取り付けられる照明器具に対して、蛍光ランプと置き換えて取り付けることが可能なＬＥＤランプが開示されている。このＬＥＤランプは、蛍光ランプと共通の直管形を呈するパイプの内部に、複数のＬＥＤが配置されたものであって、各ＬＥＤは、照明器具の電源から電圧が印加されることで発光するようになっている。
【０００４】
また特許文献２，３には、白熱電球のソケットに螺合される口金と、この口金を介して電流の供給を受ける円盤状の基板と、基板の表面に配設された多数のＬＥＤとを備えたＬＥＤランプが開示されている。このＬＥＤランプでは、ＬＥＤは基板の周全体に散在するように設けられており、これらのＬＥＤが、基板への電流供給により一斉に点灯することで、３６０度の全方位に向けた照明を行うようになっている。
【先行技術文献】
【特許文献】
【０００５】
【特許文献１】特開２００７−０１２３２２号公報
【特許文献２】特開２００１−２９１４０６号公報
【特許文献３】特開２００８−２５７９９４号公報
【発明の概要】
【発明が解決しようとする課題】
【０００６】
ところで、特許文献１のＬＥＤランプには、照明器具の電源と各ＬＥＤとを電気的に接続する回路が設けられるが、この回路は、照明器具の種別に応じて様々な方式に変更する必要がある。このため、特許文献１のＬＥＤランプは、既存の照明器具が設置される室内に広く使用することができない。
【０００７】
また、特許文献２，３に開示されたＬＥＤランプは、３６０度の全方位に向けて照明を行うものであるため、室内で照明される範囲を調整するものではない。
【０００８】
本発明はこうした状況に鑑みてなされたものであり、本発明の目的は、既存の照明器具が設置された室内に広く使用することができるとともに、室内の照明範囲を調整することが可能なＬＥＤランプを提供することである。
【課題を解決するための手段】
【０００９】
上記目的を達成するため、本発明に係るＬＥＤランプは、白熱電球のソケットに接続される口金を備えた本体部と、前記本体部の周囲に配置され、透光性部材から構成される環状の管と、前記本体部から前記環状の管に向けて延びて、前記環状の管を保持する保持具とを備え、前記環状の管の内部には、その周全体に亘って導電性の基板が設けられて、当該基板は、前記環状の管の周方向に複数のブロックに分割され、各前記ブロックには、前記保持部を通じて前記口金からの給電が可能であるとともに、複数のＬＥＤと、前記口金からの給電を受けて前記複数のＬＥＤを点灯させる駆動回路とが一体に設けられ、前記本体部には、前記口金からの各前記ブロックに対する給電を制御する制御手段が設けられることを特徴とする。
【発明の効果】
【００１０】
本発明によれば、白熱電球のソケットに螺合される口金が設けられ、この口金からの給電を受けてＬＥＤが点灯するようになっているため、白熱電球用の照明器具が設置された室内に広く使用することが可能となる。
【００１１】
また、制御手段の制御により給電を受けたブロックのＬＥＤが点灯することから、室内の所望の範囲を照明するために、環状の管における適宜の範囲から照明光を発せさせることができる。
【図面の簡単な説明】
【００１２】
【図１】本発明の実施の形態におけるＬＥＤランプの側面図である。
【図２】ＬＥＤランプを下側から視た平面図である。
【図３】図２のＡ−Ａ線断面図である。
【発明を実施するための形態】
【００１３】
以下、本発明の実施の形態について図面を参照しながら詳細に説明する。なお、図中同一または相当部分には同一符号を付し、その説明は繰り返さない。
【００１４】
図１は、実施の形態におけるＬＥＤランプ１を示す側面図であり、図２は、ＬＥＤランプ１を下側から視た平面図である。図１は、後述のガラス管５の一部を切り欠いて示し、図２は、ガラス管５の内部を透視して示している。
【００１５】
ＬＥＤランプ１は、白熱電球のソケットを備えた白熱電球用の照明器具に取り付けられるものであって、塔状の本体部３と、本体部３の周囲に配置され、透光性を有する環状のガラス管５と、本体部３からガラス管５に向けて延びて、ガラス管５を保持する保持具７とを備えている。
【００１６】
保持具７は、例えば樹脂材料からなり、本体部３から互いに反対側に延びる２本のアーム９，１１を備え、これらの先端によってガラス管５を保持している。
【００１７】
図２に示すように、ガラス管５の内部には、その全周に亘って導電性の基板１３が設けられている。基板１３は、ガラス管５の周方向に４つのブロック１５，１７，１９，２１に分割されている。
【００１８】
図３は、図２のＡ−Ａ線で切断したガラス管５の断面図である。ここで図３は、ブロック２１の配置位置におけるガラス管５内部の状態を示すものであるが、他のブロック１５，１７，１９が配置された位置においても、ガラス管５の内部は、図３と同様の状態を呈する。このため以下では、図３に示すブロック２１の配置位置におけるガラス管５内部の説明に合わせて、ブロック１５，１７，１９の配置位置におけるガラス管５内部についても説明を行う。
【００１９】
ブロック１５，１７，１９，２１は、略水平な姿勢で、ガラス管５内をその周方向に延びており、両縁２３がガラス管５の内壁面２４に接合されている。ブロック１５，１７，１９，２１には、下面２５にＬＥＤ２７が設置され、上面２９にＬＥＤ２７を点灯させる駆動回路３１が設置されている。図２に示すように、ＬＥＤ２７は、ブロック１５，１７，１９，２１の各々に複数設けられている。
【００２０】
また図１に示すように、本体部３の上部には、白熱電球のソケットに接続される螺旋込み式の口金３３が設けられており、基板１３のブロック１５，１７，１９，２１には、保持具７のアーム９，１１内を通る電気配線を介して口金３３から給電が行われるようになっている。
【００２１】
また図２に示すように、本体部３には、口金３３とブロック１５，１７，１９，２１との上述の電気配線を通じた接続を制御するスイッチ３５が設けられている。ユーザは、このスイッチ３５に対する操作を行うことで、ブロック１５，１７，１９，２１のうち、いずれか１つのブロックに対して給電、或いは複数のブロックに対して給電させることが可能である。そして、口金３３から給電されたブロックでは、駆動回路３１がこの給電を受けて当該ブロックに設けられた複数のＬＥＤ２７を点灯させる。このＬＥＤ２７から発せられた光は、ガラス管５を透過して室内に照射される。
【００２２】
本実施の形態のＬＥＤランプ１によれば、白熱電球のソケットに接続される口金３３が設けられ、この口金３３からの給電を受けてＬＥＤ２７が点灯するようになっていることで、白熱電球用の照明器具が設置される室内に広く使用することが可能となる。
【００２３】
また、ユーザは、スイッチ３５に対する操作により、口金３３からブロック１５，１７，１９，２１への給電が制御されることで、ＬＥＤ２７を点灯させるブロックを選択することが出来る。これにより、部屋の形状や用途に応じて室内の所望の範囲を照明するために、環状のガラス管５における適宜の範囲から照明光を発せさせることが可能となる。例えばブロック１５，１７，１９，２１の全てのＬＥＤ２７を点灯させた場合には、ＬＥＤランプ１は、ガラス管５の全周から照明光が発せられるようになるため、読書等のために室内の広い範囲を照明することができる。これに対して、ブロック１５，１７，１９，２１のうち、いずれか１つのＬＥＤ２７を点灯させた場合には、ガラス管５から照明光が発せられる範囲が狭くなることで、睡眠時等に室内が過剰な明るさになることを防止できる。
【００２４】
本発明は、上述の実施の形態に限定されず、特許請求の範囲において種々改変することができる。
【００２５】
例えば、スイッチ３５に光信号を受信可能な受光部を設けることで、スイッチ３５を遠隔操作が可能なものとしてもよい。
【００２６】
また、室内の明るさに応じてブロック１５，１７，１９，２１への給電を自動的に制御するために、本体部３に、室内の明るさを計測するセンサと、該センサの計測値に基づき口金３３及びブロック１５，１７，１９，２１の電気的な接続を制御する制御回路とが設けられてもよい。このようにすることで、室内の明るさに応じて、ＬＥＤランプ１において照明光が発せられる範囲が制御される。
【００２７】
また、基板１３は、上記実施形態における４つのブロックに限らず、任意の数のブロックに分割され得る。
【００２８】
また、ガラス管５には、基板１３のブロック１５，１７，１９，２１の角度を調整する調整機構が設けられてもよい。この場合には、調整機構によってブロック１５，１７，１９，２１の角度が変更されることで、ＬＥＤランプ１によって照明される範囲をさらに細かく調整することが可能となる。
【００２９】
また、基板１３のブロック１５，１７，１９，２１には、それぞれ異なる発光色のＬＥＤが設けられてもよい。この場合、ユーザは、スイッチ３５に対する操作により給電を行うブロックを選択することで、ＬＥＤランプ１から発せられる光の色を変えることができる。
【００３０】
また、ＬＥＤランプ１に環状のガラス管５を複数設け、これらを本体部３を中心として同心配置するようにしてもよい。この場合、保持具７は、ガラス管５の全てを保持するように設けられ、また、各ガラス管５内には、ＬＥＤ２７及び駆動回路３１が各々設けられた複数のブロックからなる基板１３が配置される。
【００３１】
また、環状のガラス管５の代わりに、例えば、透光性の樹脂からなる環状の管が設けられても良い。
【００３２】
その他、本発明の好適な変形として、以下の構成が含まれる。
【００３３】
本発明の観点に係るＬＥＤランプについて、好ましくは、前記制御手段は、ユーザの操作に応じて前記口金と各前記ブロックとの電気的な接続を制御するスイッチから構成されてもよい。
【００３４】
また好ましくは、前記スイッチは、光信号を受信する受光部を備えることで、ユーザによる遠隔操作が可能であってもよい。
【００３５】
また好ましくは、前記制御手段は、前記室内の明るさを計測するセンサと、当該センサの計測値に基づき各前記ブロック及び前記口金の電気的な接続を制御する制御回路とから構成されてもよい。
【００３６】
また好ましくは、前記環状の管は、複数設けられて、前記本体部を中心として同心配置されてもよい。
【００３７】
また好ましくは、前記環状の管には、各前記ブロックの角度を調整する調整機構が設けられてもよい。
【００３８】
また好ましくは、各前記ブロックには、それぞれ異なる発光色のＬＥＤが設けられてもよい。
【符号の説明】
【００３９】
１  ＬＥＤランプ
３  本体部
５  ガラス管
７  保持具
９，１１  アーム
１３  基板
１５，１７，１９，２１  ブロック
２３  両縁
２４  内壁面
２５  下面
２７  ＬＥＤ
２９  上面
３１  駆動回路
３３  口金
３５  スイッチ
【図１】
2010262856.tif 000003
【図２】
2010262856.tif 000004
【図３】
2010262856.tif 000005